(57)【要約】【課題】特別な処理工程を要することなく、イオンボンバードによる画面の色ずれを防止することができるカラー陰極線管を提供する。【解決手段】陰極５から射出した３本の電子ビーム１０Ｒ、１０Ｇ、１０Ｂの中心軌道すべてを陰極５と集束電極８の間で曲げる構造とする。これにより、陰極でのＡｒイオンの衝突位置が陰極５の実動電子放射面からずれることとなるので、陰極５の実動電子放射面がイオンボンバードの影響を受けることがない。【選択図】　図１
2004022261.tif 000002
【特許請求の範囲】
【請求項１】
陰極及び集束電極を有する電子銃を備えたカラー陰極線管であって、
前記陰極から射出した複数本の電子ビームの中心軌道すべてが、前記陰極と前記集束電極の間で曲げられる構造を備えたことを特徴とするカラー陰極線管。
【請求項２】
前記陰極と前記集束電極の間に、制御電極及び加速電極が順次に配設され、前記制御電極、前記加速電極及び前記集束電極のそれぞれに前記複数本の電子ビームに対応する複数個の電子ビーム通過孔が設けられ、前記電子ビーム通過孔の中心すべてがカラー陰極線管の管軸中心と一致していないことを特徴とする請求項１記載のカラー陰極線管。
【請求項３】
前記制御電極、前記加速電極及び前記集束電極のそれぞれに設けられた電子ビーム通過孔が、各電極ごとに１つの中央の電子ビーム通過孔と前記中央の電子ビーム通過孔の両側に設けられた２つの両側の電子ビーム通過孔とからなり、
前記中央の電子ビーム通過孔の中心が、管軸中心から０．０１ｍｍ以上、かつ、カラー陰極線管ネック外径の１０分の１未満、前記管軸中心に対して偏芯していることを特徴とする請求項２記載のカラー陰極線管。
【請求項４】
前記陰極が含浸型陰極であることを特徴とする請求項１ないし請求項３のいずれかに記載のカラー陰極線管。
【請求項５】
陰極及び集束電極を有し、コンバーゼンス機構を内蔵する電子銃を備えたカラー陰極線管であって、
前記陰極から射出した複数本の電子ビームの中心軌道すべてを前記陰極から前記集束電極までの間で曲げない構造を備えたことを特徴とするカラー陰極線管。
【請求項６】
前記電子銃内であって前記集束電極のカラー陰極線管フェース部側に陽極が設けられ、前記複数本の電子ビームの中心軌道すべてを前記集束電極と前記陽極の間で曲げることを特徴とする請求項５に記載のカラー陰極線管。
【請求項７】
前記陰極が酸化物陰極であることを特徴とする請求項５ないし請求項６のいずれかに記載のカラー陰極線管。
【発明の詳細な説明】
【０００１】
【発明の属する技術分野】
本発明は、複数本の電子ビームを射出する電子銃を備えたカラー陰極線管に関するものである。
【０００２】
【従来の技術】
カラー陰極線管は、そのスクリーン面には、レッド（Ｒ）、グリーン（Ｇ）及びブルー（Ｂ）の３色の蛍光体ドットが形成されており、それぞれの蛍光体に対応する３本の電子ビームを走査して、画像を表示するものである。カラー陰極線管においては、その色再現の安定した品質が重要な性能のひとつであるが、所望の色の画面を得ようとした場合、３本の電子ビームのビーム電流を制御して所定の電流比にすることが必要である。電子ビームのビーム電流は、通常、陰極に与える電位を固定しても数秒から数分という短時間で不安定になり、変化することが多く、これにより、画面の色ずれが発生する。このビーム電流の変化をもたらす最大の原因は、陰極線管内に残留したガスである。従来からこの残留ガスの問題については管内に導入したゲッターに残留ガスを吸着させて回避しているものの、完全にゲッターに吸着させることは困難である。特に希ガスの内アルゴン（Ａｒ）ガスが残留することが多く、これがビーム電流変化の主原因となる。残留したＡｒガスは、電子ビームの取り出しによって正にイオン化され、スクリーン面にかかる＋３０ｋＶ程度の高圧と０〜２００Ｖ程度の陰極との間の電位差により加速され、陰極の電子放射面に衝突する。この現象をイオンボンバードと呼んでいる。このイオンボンバードが陰極の電子放射能力にさまざまな影響を与え、電子ビーム電流の不安定性を引き起こして画面の色ずれを発生させる。
【０００３】
従来、このイオンボンバードによる画面色ずれの対策として、陰極線管の製造プロセスに特別な処理工程を設け、これにより陰極線管内に残留したＡｒガスを低減させていた（特開平８−７７９２９号公報）。
【０００４】
【発明が解決しようとする課題】
しかし、上記従来の方法は、陰極の活性化工程の他に管内ガスを低減させるための特別な処理工程を必要としていたので、設備的にも工数的にもコスト高になるという問題があった。
【０００５】
本発明はこのような問題を解決するためになされたものであり、特別な処理工程を要することなく、イオンボンバードによる画面の色ずれを防止することができるカラー陰極線管を提供することを目的とする。
【０００６】
【課題を解決するための手段】
本発明に係る第１のカラー陰極線管は、陰極及び集束電極を有する電子銃を備えたカラー陰極線管であって、前記陰極から射出した複数本の電子ビームの中心軌道すべてが、前記陰極と前記集束電極の間で曲げられる構造を備えたことを特徴とするものである。
【０００７】
本発明に係る第１のカラー陰極線管によれば、管内にＡｒガスが存在したとしても、すべての電子ビームの中心軌道を陰極と集束電極の間で曲げることにより、すべての電子ビームに関し、陰極でのＡｒイオンの衝突位置が陰極の実動電子放射面からずれることになる。これにより、陰極の実働電子放射面がイオンボンバードによるダメージを受けることがなくなるので、電子ビーム電流を低下させることなく安定させることができ、画面の色ずれを防止することができる。
【０００８】
また、本発明に係る第２のカラー陰極線管は、陰極及び集束電極を有し、コンバーゼンス機構を内蔵する電子銃を備えたカラー陰極線管であって、前記陰極から射出した複数本の電子ビームの中心軌道すべてを前記陰極から前記集束電極までの間で曲げない構造を備えたことを特徴とするものである。
【０００９】
本発明に係る第２のカラー陰極線管によれば、管内にＡｒガスが存在したとしても、すべての電子ビームの中心軌道を陰極と集束電極の間で曲げないことにより、すべての電子ビームの陰極でのＡｒイオンの衝突位置は、陰極の実動電子放射面となる。これにより、３つの陰極の実働電子放射面すべてが同程度にイオンボンバードのダメージを受けることになるので、３本の電子ビームのビーム電流が均等に低下させることができ、画面の色ずれを防止することができる。
【００１０】
【発明の実施の形態】
（第１の実施形態）
以下、本発明の第１の実施形態に係るカラー陰極線管について図を用いて説明する。
【００１１】
図１に示すように、本発明の第１の実施形態に係るカラー陰極線管は、フェース部１、ファンネル部２及びネック部３からなり、ネック部３内には電子銃４を備えている。電子銃４は、インライン配列された３個の陰極５、制御電極６、加速電極７、集束電極８及び陽極９が順次に配設されて構成されており、各電極にはレッド、グリーン及びブルーの３本の電子ビームがそれぞれ通過する３つの電子ビーム通過孔が設けられている。尚、同図中の破線は、陰極５から射出した各電子ビームの中心軌道を表している。
【００１２】
また、集束電極８は、第１集束電極８ａと第２集束電極８ｂとからなり、第１集束電極８ａは加速電極７に対向する端面を有し、２集束電極８ｂは陽極９に対向する端面を有し、これらの端面には３つの電子ビーム通過孔が設けられている。
【００１３】
次に、制御電極６、加速電極７、第１集束電極８ａ、第２集束電極８ｂ及び陽極９の詳細について説明する。尚、図２〜図６は、それぞれ制御電極６、加速電極７、第１集束電極８ａ、第２集束電極８ｂ及び陽極９の外観斜視図である。
【００１４】
図２に示すように、陰極を覆うキャップ状の制御電極６は、その加速電極７側の端面に直径が０．３５ｍｍの電子ビーム通過孔６Ｒ、６Ｇ、６Ｂが設けられている。両サイドの電子ビーム通過孔６Ｒ、６Ｂは管軸中心Ｏに対して対称な位置に設けられている。また、センターの電子ビーム通過孔６Ｇは管軸中心Ｏから離れ、電子ビーム通過孔６Ｂ側に偏って設けられている。本実施形態では、サイド孔６Ｒとセンター孔６Ｇの中心間距離Ｌ１を８．０ｍｍとし、センター孔６Ｇとサイド孔６Ｒの中心間距離Ｌ２を４．２ｍｍとした。センター孔６Ｇの管軸中心に対する偏芯量δは１．９ｍｍである。
【００１５】
また、図３に示すように、板状の加速電極７には直径が０．４０ｍｍの電子ビーム通過孔７Ｒ、７Ｇ、７Ｂが設けられており、両サイドの電子ビーム通過孔７Ｒ、７Ｂは管軸中心Ｏに対して対称な位置に設けられている。また、センターの電子ビーム通過孔７Ｇは管軸中心から離れ、電子ビーム通過孔７Ｂ側に偏って設けられている。本実施形態では、サイド孔７Ｒとセンター孔７Ｇの中心間距離Ｌ１を８．０ｍｍとし、センター孔７Ｇとサイド孔７Ｒの中心間距離Ｌ２を４．２ｍｍとし、センター孔７Ｇの管軸中心に対する偏芯量δは１．９ｍｍとし、制御電極６と同じにした。
【００１６】
また、図４に示すように、第１集束電極８ａは、その加速電極に対向する端面に短径が０．９ｍｍであって長径が１．１４ｍｍの横長の略楕円形状の両サイドの電子ビーム通過孔８ａＲ、８ａＢと、短径が０．９ｍｍであって長径が０．９８ｍｍのオーバル形状のセンターの電子ビーム通過孔８ａＧとが設けられている。また、両サイドの電子ビーム通過孔８ａＲ、８ａＢは管軸中心Ｏに対して対称な位置に設けられている。中央の電子ビーム通過孔８ａＧは管軸中心から離れ、電子ビーム通過孔８ａＢ側に偏って設けられている。本実施形態では、サイド孔８ａＲとセンター孔８ａＧの中心間距離Ｌ１を８．１６ｍｍとし、センター孔８ａＧとサイド孔８ａＲの中心間距離Ｌ２を４．２８ｍｍとした。センター孔８ａＧの管軸中心に対する偏芯量δは１．９４ｍｍである。
【００１７】
一方、図５に示すように、第２集束電極８ｂは、その陽極９に対向する端面に直径が３．４ｍｍの電子ビーム通過孔８ｂＲ、８ｂＧ、８ｂＢが設けられており、両サイドの電子ビーム通過孔８ｂＲ、８ｂＢは管軸中心Ｏに対して対称な位置に設けられている。また、センターの電子ビーム通過孔８ｂＧは管軸中心から離れ、電子ビーム通過孔８ｂＢ側に偏って設けられている。本実施形態では、サイド孔８ｂＲとセンター孔８ｂＧの中心間距離Ｌ１を６．８ｍｍとし、センター孔８ｂＧとサイド孔８ｂＲの中心間距離Ｌ２を３．４ｍｍとした。センター孔８ｂＧの管軸中心に対する偏芯量δは１．７ｍｍである。
【００１８】
また、図６に示すように、陽極９は、その第２集束電極８ｂ側の端面には直径が３．４ｍｍの電子ビーム通過孔９Ｒ、９Ｇ、９Ｂが設けられている。両サイドの電子ビーム通過孔９Ｒ、９Ｂは管軸中心Ｏに対して対称な位置に設けられている。また、センターの電子ビーム通過孔９Ｇは管軸中心から離れ、電子ビーム通過孔９Ｂ側に偏って設けられている。本実施形態では、サイド孔９Ｒとセンター孔９Ｇの中心間距離Ｌ１を６．８ｍｍとし、センター孔９Ｇとサイド孔９Ｂの中心間距離Ｌ２を３．４ｍｍとした。センター孔９Ｇの管軸中心に対する偏芯量δは１．７ｍｍである。
【００１９】
次に、本発明の第１の実施形態に係るカラー陰極線管の動作について再び図１を用いて説明する。
【００２０】
本実施形態に係るカラー陰極線管に所定の電圧を印加すると、図１に示すように、陰極５から電子が射出され、破線１０Ｒ、１０Ｇ、１０Ｂで示すように３本の電子ビームとなってフェース部１に向かって飛んでいく。この３本の電子ビームの束は加速電極７に対向する第１集束電極８ａ直前まではすべて管軸中心Ｏと平行に進むが、第１集束電極８ａのセンター孔中心を管軸中心Ｏから離れるほうにずらしているため、加速電極７と集束電極８との間ではすべての電子ビームの中心軌道１０Ｒ、１０Ｇ、１０Ｂが管軸中心Ｏ方向に曲げられる。その後フェース部１で３本の電子ビームの中心軌道１０Ｒ、１０Ｇ、１０Ｂは一点に集中（コンバーゼンス）する。
【００２１】
このとき、電子ビームの電子が管内に残留するＡｒ等の不活性ガスに衝突すると、この残留ガスは陽イオンに電離し、各電極の電位差によって加速されて電子ビームの中心軌道１０Ｒ、１０Ｇ、１０Ｂと同じ軌道を通って陰極５に向かって飛んでいくことになる。ところが、不活性ガスの質量が大きいため、加速された陽イオンは加速電極７と集束電極８との間で曲がることができずに電子ビームの中心軌道１０Ｒ、１０Ｇ、１０Ｂからそれてしまい、陽イオンは陰極５の実動電子放射面に当たらず、実動電子放射面の外側に当たる。このため、３個全ての陰極５は、その実動電子放射面はダメージを受けることがない。従って、３個の陰極のエミッション性能を良好に均等に維持させることができるので、３本の電子ビームのビーム電流の低下もなくなり、画面の色ずれも無くなる。
【００２２】
次に、本発明の第１の実施形態に係るカラー陰極線管の効果を確認した実験結果について説明する。本発明に係るカラー陰極線管として、上述した寸法と同じ寸法の電極の電子銃を備えた２１型のカラー陰極線管を用い、比較例１として図７に示すように各電極のセンター孔が管軸中心に、また、サイド孔が管軸対称に設けられたカラー陰極線管を用い、比較例２として、比較例１のカラー陰極線管に特開平８−７７９２９号公報に開示された残留ガス対策の処理工程を施したインラインカラー陰極線管を用いた。尚、これらのカラー陰極線管の管内のＡｒガスの分圧は６×１０−６〜３×１０−４Ｐａである。
【００２３】
本発明に係るカラー陰極線管、比較例１及び比較例２に係るカラー陰極線管に所定の電圧を印加すると、本発明に係るカラー陰極線管については、時間が経過しても画面色ずれがほとんど生じなかったが、比較例１及び比較例２に係るカラー陰極線管については、画面上に白色の画像を出画させてもグリーン色が不足したマゼンタとなり色ずれが生じた。本発明に係るカラー陰極線管に色ずれが生じなかったのは、３個の陰極すべてがイオン衝撃を受けないからであると考えられる。一方、比較例１及び比較例２に係るカラー陰極線管に色ずれが生じたのは、陰極と集束電極間で中心軌道がまっすぐであるグリーンに対応するセンターの電子ビームによって中央の陰極のみがイオン衝撃を受け、中央の陰極から射出する電子ビーム電流が低下したことによるものであると考えられる。
【００２４】
本発明に係るカラー陰極線管、比較例１及び比較例２に係るカラー陰極線管の色ずれについて評価を行ったので、その評価結果について図８を参照しながら説明する。尚、評価は以下のように行った。すなわち、カラー陰極線管に所定の電圧を印加し、印加直後の陰極から放射される電子ビーム電流が３色同じ値になるように陰極電圧ドライブ量を調整し、その電流値をＩ０とする。そして、ドライブから５分後のレッド、グリーン、ブルーの各色の電流値をそれぞれＩ５Ｒ、Ｉ５Ｇ、Ｉ５Ｂとし、この三色の電流値の最大値と最小値の差分をΔＩ５とする。この差分ΔＩ５をＩ５Ｒ、Ｉ５Ｇ、Ｉ５Ｂの平均値Ｉ５ＡＶＥで割った値を色ずれの程度をあらわす三色差率とする。数式で表すと以下のようになる。
【００２５】
三色差率＝（ΔＩ５／Ｉ５ＡＶＥ）×１００［％］
この三色差率が５％より大きくなると色ずれが目立つようになるため、これより小さくすることが好ましい。
【００２６】
図８に示すように、本発明に係るカラー陰極線管（本発明１Ａと図示）では三色差率が２％であったのに対し、比較例１及び比較例２に係るカラー陰極線管（比較例１、比較例２と図示）では、それぞれ三色差率は１５％、５％であった。この評価結果によると、本発明に係るカラー陰極線管は、比較例１及び比較例２に係るカラー陰極線管に対して優れた効果を奏することが分かる。しかも、本発明に係るカラー陰極線管においては、その三色差率は２％と低いので色ずれはほとんど目立たない。
【００２７】
尚、上記の本発明に係るカラー陰極線管では、陰極として含浸型陰極を用いたが、含浸型陰極の代わりに酸化物陰極を用いた場合（本発明１Ｂと図示）には、図８に示すように、上記色ずれ評価方法で評価すると三色差率は３％であり、含浸型陰極を用いた場合と比べると色ずれ効果は劣っているものの、比較例１及び比較例２に係るカラー陰極線管に対しては色ずれ効果は優れている。また、含浸型陰極が酸化物陰極に対して優れた効果を奏するのは、表面にＢａ単原子層を有する含浸型陰極は、上記本発明に係る電子銃の構成によって、イオンボンバードのＢａ単原子層の破壊によるエミッション性能の低下を抑制できるのに対し、表面にＢａ単原子層のない酸化物陰極は、もともとイオンボンバードによって陰極表面がクリーニングされてエミッション性能が良化されていたのが、イオンボンバード自体の抑制によりクリーニング効果によるエミッション性質の良化が抑制されるからである。
【００２８】
また、制御電極６、加速電極７、第１集束電極８ａ、第２集束電極８ｂ及び陽極９に設けられたセンターの各電子ビーム通過孔中心の管軸中心に対する偏芯量δと三色差率との関係を図９に示す。図９に示すように、偏芯量δが大きいほど三色差率が低くなり、色ずれ改善効果は大きくなる。但し、偏芯量δが０．０１ｍｍ以上ネック外径の１０分の１以下の間であることが好ましい。これは、偏芯量δが大きすぎると各電極の外径や孔径等の物理的な限界で制約されるからである。
【００２９】
以上、本発明の第１の実施形態に係るカラー陰極線管では、陰極と集束電極との間で電子ビームの中心軌道１０Ｒ、１０Ｇ、１０Ｂを曲げるために、電極のセンター孔の中心を管軸中心Ｏから離れる方向にずらしたが、図１０（ａ）に示すように、静電レンズを形成する低電圧側の電極、例えば加速電極の両サイド孔１１の管軸中心Ｏから離れた方の孔周辺半分の部分に突起１２を設けてもよい。また、図１０（ｂ）に示すように、静電レンズを形成する低電圧側の板状の電極である加速電極１３全体を陰極側に凸になるように反らしてもよい。また、図１０（ｃ）に示すように、ファンネルのネック部外周に磁性体１４を付加して曲げてもよい。また、中央の陰極及びそれに対応するそれぞれの電極の孔の位置はインライン上に位置していなくてもよい。
【００３０】
（第２の実施形態）
以下、本発明の第２の実施形態に係るカラー陰極線管について図を用いて説明する。
【００３１】
本発明の第２の実施形態に係るカラー陰極線管は、図１１に示すように、フェース部１、ファンネル部２及びネック部３からなり、ネック部３内には電子銃４０を備え、また、電子銃４０は、インライン配列された３個の陰極５０、制御電極６０、加速電極７０、集束電極８０及び陽極９０が順次に配設されて構成されたものであり、基本電極構成は第１の実施形態に係るカラー陰極線管と同様である。尚、集束電極８０は、第１集束電極８０ａと第２集束電極８０ｂとからなる。また、各電極にはレッド、グリーン及びブルーの３本の電子ビームがそれぞれ通過する３つの電子ビーム通過孔が設けられている。
【００３２】
第２の実施形態に係るカラー陰極線管が第１の実施形態に係るものと異なる点は、第１の実施形態に係るカラー陰極線管が３本の電子ビームすべてが陰極５と集束電極８の間で曲げられる構成としたのに対し、第２の実施形態に係るカラー陰極線管は３本の電子ビームすべてについて陰極５０から集束電極８０までの間で曲げない構成とした点である。
【００３３】
３本の電子ビームすべてを陰極５０と集束電極８０の間で曲げない構成とするために、具体的な電極構成として各電極の電子ビーム通過孔の形状を以下のようにした。すなわち、各電極のセンター孔をその中心が管軸中心Ｏと一致するように設けるとともに、両サイド孔を管軸中心Ｏに対して対称に設けた。尚、制御電極６０、加速電極７０、第１集束電極８０ａ及び第２集束電極８０ｂの各電極での両サイド孔とセンター孔の中心間距離を６．１ｍｍとし、陽極９０の両サイド孔とセンター孔の中心間距離を６．２ｍｍとして他の電極の両サイド孔と比較して、その中心を管軸中心Ｏから離れる方向にずらしている。
【００３４】
次に、本発明の第２の実施形態に係るカラー陰極線管の動作について図１１を用いて説明する。
【００３５】
本発明に係るカラー陰極線管に所定の電圧を印加すると、図１１に示すように、陰極５０から電子が射出され、破線１００Ｒ、１００Ｇ、１００Ｂで示すように３本の電子ビームとなってフェース部１に向かって飛んでいく。陰極５０から射出した３本の電子ビームの束は陽極９０の直前までは管軸中心Ｏと平行に進むが、陽極９０のサイド孔の中心を他の電極の両サイド孔と比較して管軸中心Ｏから離れる方向にずらしているため、集束電極８０と陽極９０との間で両サイドの電子ビームの中心軌道１００Ｒ、１００Ｇ、１００Ｂが管軸中心Ｏ方向に曲げられる。その後フェース部１で３本の電子ビームの中心軌道１００Ｒ、１００Ｇ、１００Ｂは一点に集中（コンバーゼンス）する。
【００３６】
このとき、電子ビームの電子が管内に残留するＡｒ等の不活性ガスに衝突すると、この残留ガスは陽イオンに電離し、各電極の電位差によって加速されて電子ビームの中心軌道１００Ｒ、１００Ｇ、１００Ｂと同じ軌道を通って陰極５０に向かって飛んでいくことになる。ここで、管内に残留する不活性ガスが電離するのは主に集束電極８０付近であり、この付近で電離した陽イオンは、電極間の電界によって加速され、陽極９０まで管軸中心Ｏと平行に進んだ電子ビームの中心軌道１００Ｒ、１００Ｇ、１００Ｂを通って陰極５０の実動電子放射面に衝突する。これにより、陰極５０の表面の熱電子放出層はダメージを受けることとなるが、３本の電子ビームすべてが陰極５０から集束電極８０までの間で直進する（曲がらない）ので、３個全ての陰極５０が同程度のダメージを受ける。この結果、３個の陰極５０から放射される電子ビーム電流は同等に低下するので、画面の色ずれを防止することができる。
【００３７】
次に、本発明の第２の実施形態に係るカラー陰極線管の効果を確認した実験結果について説明する。本実施形態に係るカラー陰極線管として、電子銃の各電極構成を上述した寸法と同じ寸法の電極を有する電子銃を備えた２１型のカラー陰極線管を用いた。また、比較例として第１の実施形態で説明したものと同じ比較例１及び比較例２のカラー陰極線管を用いた。
【００３８】
本発明に係るカラー陰極線管、比較例１及び比較例２に係るカラー陰極線管に所定の電圧を印加すると、本発明に係るカラー陰極線管については、時間が経過しても画面の色ずれがほとんど生じなかったが、比較例１及び比較例２に係るカラー陰極線管については、画面上に白色の画像を出画させてもグリーン色が不足したマゼンタとなり色ずれが生じた。本発明に係るカラー陰極線管に色ずれが生じなかったのは、３個の陰極すべてが一様にダメージを受けるからである。一方、比較例１及び比較例２に係るカラー陰極線管に色ずれが生じたのは、陰極と集束電極間で中心軌道がまっすぐであるグリーンに対応するセンターの電子ビームによって中央の陰極のみがイオン衝撃を受け、中央の陰極から射出する電子ビーム電流が低下したことによるものである。
【００３９】
また、この色ずれについて評価を行ったので、この評価結果について図１２を参照しながら説明する。尚、評価方法は三色差率を用いたものであり、第１の実施形態で説明したと同様であるので、その説明は省略する。
【００４０】
図１２に示すように、本発明に係るカラー陰極線管（本発明２Ａと図示）では三色差率が３％であったのに対し、比較例１及び比較例２に係るカラー陰極線管（比較例１、比較例２と図示）では、それぞれ三色差率は１５％、５％であった。この評価結果によると、本発明に係るカラー陰極線管は、比較例１及び比較例２に係るカラー陰極線管に対して優れた色ずれ効果を奏していることが分かる。しかも、本発明に係るカラー陰極線管は、その三色差率は３％と低いので色ずれはほとんど目立たない。尚、上記の本発明に係るカラー陰極線管では、陰極として含浸型陰極（本発明２Ａと図示）を用いたが、含浸型陰極の代わりに酸化物陰極を用いた場合のもの（本発明２Ｂと図示）は、図１２に示すように、上記色ずれ評価方法で評価すると三色差率は２％であり、含浸型陰極を用いた場合と比べ、さらに優れた色ずれ効果を奏する。これは、酸化物陰極ではＡｒガスのイオンボンバードにより実動電子放射面の管内ガスによる汚染が除去されることにより活性化が促され、含浸型陰極を用いた場合に比べると極めて電子ビーム電流が安定するからである。
【００４１】
以上、第１及び第２の実施形態に係る電子銃はコンバーゼンス機構を内蔵しているものであるが、本実施形態にいうコンバーゼンス機構とは、電界によって電子ビームを曲げ、電子ビームが偏向されていないときに、３本の電子ビームを１点に集中させる機構のことをいう。
【００４２】
【発明の効果】
本発明に係る第１のカラー陰極線管は、陰極及び集束電極を有する電子銃を備えたカラー陰極線管であって、前記陰極から射出した複数本の電子ビームの中心軌道すべてが、前記陰極と前記集束電極の間で曲げられる構造を備えたことを特徴とするものである。
【００４３】
本発明の第１の実施形態に係るカラー陰極線管は、陰極から射出した電子ビームの中心軌道すべてを陰極と集束電極の間で曲げるものであるので、管内にＡｒガスが存在したとしても、電子ビームすべてに関し、陰極でのＡｒイオンの衝突位置が陰極の実動電子放射面からずれることになる。これにより、陰極の実動電子放射面がイオンボンバードの影響を受けないので、電子ビーム電流を低下させることなく安定させることができる。従って、管内残留ガスに対する特別な処理工程を設けることなく画面の色ずれが生じないカラー陰極線管を提供することができる。
【００４４】
また、本発明の第２の実施形態に係るカラー陰極線管は、陰極及び集束電極を有し、コンバーゼンス機構を内蔵する電子銃を備えたカラー陰極線管であって、前記陰極から射出した複数本の電子ビームの中心軌道すべてを前記陰極から前記集束電極までの間で曲げない構造を備えたことを特徴とするものである。
【００４５】
本発明に係る第２の実施形態に係るカラー陰極線管は、陰極から射出した電子ビームの中心軌道すべてについて陰極から集束電極までの間で曲げないものであるので、管内にＡｒガスが存在したとしても、電子ビームすべてに関し、陰極でのＡｒイオンの衝突位置は陰極の実動電子放射面となる。これにより、電子ビームのビーム電流を均等に低下させることができる。従って、管内残留ガスに対する特別な処理工程を設けることなく画面の色ずれが生じないカラー陰極線管を提供することができる。
【図面の簡単な説明】
【図１】本発明の第１の実施形態に係るカラー陰極線管の水平断面図
【図２】本発明の第１の実施形態に係るカラー陰極線管の電子銃の制御電極を示す斜視図
【図３】本発明の第１の実施形態に係るカラー陰極線管の電子銃の加速電極を示す斜視図
【図４】本発明の第１の実施形態に係るカラー陰極線管の電子銃の加速電極に対向する集束電極を示す斜視図
【図５】本発明の第１の実施形態に係るカラー陰極線管の電子銃の陽極に対向する集束電極を示す斜視図
【図６】本発明の第１の実施形態に係るカラー陰極線管の電子銃の陽極を示す斜視図
【図７】従来のカラー陰極線管を示す水平断面図
【図８】本発明の第１の実施形態に係るカラー陰極線管と比較例に係るカラー陰極線管の三色差率を示す図
【図９】本発明の第１の実施形態に係るカラー陰極線管の電子銃の電極においてセンター孔の偏芯量と三色差率の関係を示す図
【図１０】他の実施形態に係る電子ビームすべてを曲げる構造を示す図
【図１１】本発明の第２の実施形態に係るカラー陰極線管の水平断面図
【図１２】本発明の第２の実施形態に係るカラー陰極線管と比較例に係るカラー陰極線管の三色差率を示す図
【符号の説明】
１　フェース部
２　ファンネル部
３　ネック部
４　電子銃
５　陰極
６　制御電極
７　加速電極
８　集束電極
８ａ　第１集束電極
８ｂ　第２集束電極
９　陽極
１０Ｒ、１０Ｇ、１０Ｂ　電子ビームの中心軌道
【図１】
2004022261.tif 000003
【図２】
2004022261.tif 000004
【図３】
2004022261.tif 000005
【図４】
2004022261.tif 000006
【図５】
2004022261.tif 000007
【図６】
2004022261.tif 000008
【図７】
2004022261.tif 000009
【図８】
2004022261.tif 000010
【図９】
2004022261.tif 000011
【図１０】
2004022261.tif 000012
【図１１】
2004022261.tif 000013
【図１２】
2004022261.tif 000014